(57)【要約】【課題】プラスチックフィルム１の印刷ピッチＰを個別に矯正する。【解決手段】プラスチックフィルム１がその印刷ピッチＰずつ間欠的に送られ、間欠送り毎に、プラスチックフィルム１が一時的に停止する。さらに、印刷ピッチ測定光学センサ２によってプラスチックフィルム１の印刷位置が検出され、その印刷ピッチＰが測定される。その後、プラスチックフィルム１が一時的に停止しているとき、プラスチックフィルム延伸装置４によってプラスチックフィルム１が延伸され、その印刷ピッチＰが矯正される。【選択図】図１
2014073904.tif 000002
【特許請求の範囲】
【請求項１】
一定の印刷ピッチをもって反復印刷された印刷柄を有するプラスチックフィルムをその印刷ピッチずつ間欠的に送り、間欠送り毎に、前記プラスチックフィルムを一時的に停止させる送りローラと、
前記プラスチックフィルムの送り経路に設けられ、前記プラスチックフィルムの印刷位置を検出し、その印刷ピッチを測定する印刷ピッチ測定光学センサと、
前記印刷ピッチ測定光学センサよりも下流位置において、前記プラスチックフィルムの送り経路に設けられ、前記印刷ピッチの測定後、前記プラスチックフィルムが一時的に停止しているとき、前記プラスチックフィルムを延伸させ、その印刷ピッチを矯正するプラスチックフィルム延伸装置とからなるプラスチックフィルムの印刷ピッチ矯正装置。
【請求項２】
さらに、前記プラスチックフィルムの送り経路に設けられ、前記印刷ピッチの矯正後、前記プラスチックフィルムの印刷位置を検出し、所定数の印刷柄の総和ピッチを測定する総和ピッチ測定光学センサと、
前記プラスチックフィルムの送り経路に設けられ、前記総和ピッチの測定後、前記プラスチックフィルムが一時的に停止しているとき、前記プラスチックフィルムを延伸させ、その総和ピッチを矯正する二次的延伸装置とを備えた請求項１に記載の印刷ピッチ矯正装置。
【請求項３】
制御装置が前記印刷ピッチ測定光学センサの検出信号を受け、その検出信号にもとづき、前記制御装置によって前記プラスチックフィルムの印刷ピッチが測定され、その測定値が印刷ピッチの基準値よりも小さく、両者の差があらかじめ設定された設定値を超えたとき、前記制御装置によって前記プラスチックフィルム延伸装置が駆動され、プラスチックフィルムが延伸され、その印刷ピッチが矯正されるようにした請求項１に記載の印刷ピッチ矯正装置。
【請求項４】
矯正された印刷ピッチに不足または過剰矯正量があるとき、前記制御装置にその不足または過剰矯正量が記憶され、次の印刷ピッチが測定されたとき、測定された値で前回の不足または過剰矯正量が精算され、その精算値が測定値として使用され、その測定値と前記基準値の差によって前記プラスチックフィルム延伸装置が駆動されるようにした請求項３に記載の印刷ピッチ矯正装置。
【請求項５】
前記あらかじめ設定された設定値は前記プラスチックフィルム延伸装置の最小延伸量であり、前記測定値と基準値の差が前記プラスチックフィルム延伸装置の最小延伸量を超えたとき、前記制御装置によって前記プラスチックフィルム延伸装置が駆動され、前記プラスチックフィルムが延伸され、前記最小延伸量よりも小さい未矯正量が前記プラスチックフィルムの印刷ピッチに残ったとき、前記制御装置にその未矯正量が記憶され、次の印刷ピッチが測定されたとき、測定された値から前回の未矯正量が減算され、その減算値が測定値として使用され、その測定値と前記基準値の差によって前記プラスチックフィルム延伸装置が駆動されるようにした請求項３に記載の印刷ピッチ矯正装置。
【請求項６】
制御装置が前記総和ピッチ測定光学センサの検出信号を受け、その検出信号にもとづき、前記制御装置によって所定数の印刷柄の総和ピッチが測定され、その測定値が総和ピッチの基準値よりも小さく、両者の差があらかじめ設定された設定値を超えたとき、前記制御装置によって前記二次的延伸装置が駆動され、プラスチックフィルムが延伸され、その総和ピッチが矯正されるようにした請求項２に記載の印刷ピッチ矯正装置。
【請求項７】
矯正された総和ピッチに不足または過剰矯正量があるとき、前記制御装置にその不足または過剰矯正量が記憶され、次の総和ピッチが測定されたとき、測定された値で前回の不足または過剰矯正量が精算され、その精算値が測定値として使用され、その測定値と前記基準値の差によって前記プラスチックフィルム延伸装置が駆動されるようにした請求項６に記載の印刷ピッチ矯正装置。
【請求項８】
前記あらかじめ設定された設定値は前記二次的延伸装置の最小延伸量であり、前記測定値と基準値の差が前記二次的延伸装置の最小延伸量を超えたとき、前記制御装置によって前記二次的延伸装置が駆動され、前記プラスチックフィルムが延伸され、前記最小延伸量よりも小さい未矯正量が前記プラスチックフィルムの総和ピッチに残ったとき、前記制御装置にその未矯正量が記憶され、次の総和ピッチが測定されたとき、測定された値から前回の未矯正量が減算され、その減算値が測定値として使用され、その測定値と前記基準値の差によって前記二次的延伸装置が駆動されるようにした請求項６に記載の印刷ピッチ矯正装置。
【請求項９】
上流側光学センサが前記プラスチックフィルムの送り経路に設けられ、前記上流側光学センサよりも下流位置において、下流側光学センサが前記プラスチックフィルムの送り経路に設けられ、前記上流側光学センサから所定距離を置いて配置され、その距離は前記印刷ピッチの基準値の整数倍に対応し、前記上流側および下流側光学センサによって前記プラスチックフィルムの印刷位置が検出され、前記印刷ピッチ測定光学センサは前記上流側光学センサからなり、前記上流側光学センサによって前記プラスチックフィルムの印刷ピッチが測定され、前記総和ピッチ測定光学センサは前記上流側および下流側光学センサからなり、前記上流側および下流側光学センサによって所定数の印刷柄の総和ピッチが測定されるようにした請求項２に記載の印刷ピッチ矯正装置。
【請求項１０】
前記上流側光学センサよりも上流位置において、追加光学センサが前記プラスチックフィルムの送り経路に設けられ、前記上流側光学センサから所定距離を置いて配置され、その距離は前記プラスチックフィルムの印刷ピッチまたはその整数倍に対応し、前記追加光学センサによって前記プラスチックフィルムの印刷位置が検出され、前記印刷ピッチ測定光学センサは前記上流側光学センサと追加光学センサからなり、前記追加光学センサおよび上流側光学センサによって前記プラスチックフィルムの印刷ピッチが測定されるようにした請求項９に記載の印刷ピッチ矯正装置。
【請求項１１】
前記上流側光学センサよりも下流位置において、前記プラスチックフィルム延伸装置が前記プラスチックフィルムの送り経路に設けられ、前記プラスチックフィルム延伸装置よりも下流位置において、前記下流側光学センサが前記プラスチックフィルムの送り経路に設けられ、前記下流側光学センサよりも下流位置において、前記二次的延伸装置が前記プラスチックフィルムの送り経路に設けられている請求項９に記載の印刷ピッチ矯正装置。
【請求項１２】
前記プラスチックフィルム延伸装置および二次的延伸装置は単一の延伸装置からなり、前記上流側光学センサよりも下流位置において、前記単一の延伸装置が前記プラスチックフィルムの送り経路に設けられ、前記単一の延伸装置よりも下流位置において、前記下流側光学センサが前記プラスチックフィルムの送り経路に設けられている請求項９に記載の印刷ピッチ矯正装置。
【請求項１３】
前記上流側光学センサよりも下流位置において、前記送りローラが前記プラスチックフィルムの送り経路に設けられ、制御装置が前記上流側光学センサの検出信号を受け、その検出信号にもとづき、前記制御装置によって前記送りローラが駆動され、前記プラスチックフィルムがその印刷ピッチずつ間欠的に送られるようにした請求項９に記載の印刷ピッチ矯正装置。
【請求項１４】
請求項１に記載された印刷ピッチ矯正装置を使用し、印刷ピッチの矯正後、複数枚のフィルムを互いに重ね合わせ、その間欠送り毎に、ヒートシール装置およびクロスカッタによって各フィルムをヒートシールし、クロスカットし、プラスチック袋を製造するようにした製袋機。
【請求項１５】
一定の印刷ピッチをもって反復印刷された印刷柄を有し、長さ方向に送られるプラスチックフィルムの印刷ピッチ矯正装置であって、
前記プラスチックフィルムの送り経路に設けられ、前記プラスチックフィルムの印刷位置を検出する上流側光学センサと、
前記上流側光学センサよりも下流位置において、前記プラスチックフィルムの送り経路に設けられ、前記プラスチックフィルムを送る送りローラと、
前記上流側光学センサよりも下流位置において、前記プラスチックフィルムの送り経路に設けられ、前記プラスチックフィルムを延伸させるプラスチックフィルム延伸装置と、
前記送りローラおよびプラスチックフィルム延伸装置よりも下流位置において、前記プラスチックフィルムの送り経路に設けられ、前記上流側光学センサから所定距離を置いて配置され、その距離は印刷ピッチの基準値の整数倍に対応し、前記プラスチックフィルムの印刷位置を検出する下流側光学センサと、
前記下流側光学センサよりも下流位置において、前記プラスチックフィルムの送り経路に設けられ、前記プラスチックフィルムを延伸させる二次的延伸装置と、
前記上流側光学センサの検出信号を受け、その検出信号にもとづき、前記送りローラを駆動し、前記プラスチックフィルムをその印刷ピッチずつ間欠的に送り、間欠送り毎に、前記プラスチックフィルムを一時的に停止させるとともに、前記上流側光学センサの検出信号にもとづき、前記プラスチックフィルムの印刷ピッチを測定し、その測定値が印刷ピッチの基準値よりも小さく、両者の差が第１設定値を超えたとき、前記プラスチックフィルム延伸装置を駆動し、前記プラスチックフィルムが一時的に停止しているとき、前記プラスチックフィルム延伸装置によって前記プラスチックフィルムを延伸させ、その印刷ピッチを矯正し、さらに、前記下流側光学センサの検出信号を受け、前記上流側および下流側光学センサの検出信号にもとづき、所定数の印刷柄の総和ピッチを測定し、その測定値が総和ピッチの基準値よりも小さく、両者の差が第２設定値を超えたとき、前記二次的延伸装置を駆動し、前記プラスチックフィルムが一時的に停止しているとき、前記二次的延伸装置によって前記プラスチックフィルムを延伸させ、その総和ピッチを矯正する制御装置とからなるプラスチックフィルムの印刷ピッチ矯正装置。
【請求項１６】
一定の印刷ピッチをもって反復印刷された印刷柄を有し、長さ方向に送られるプラスチックフィルムの印刷ピッチ矯正装置であって、
前記プラスチックフィルムの送り経路に設けられ、前記プラスチックフィルムの印刷位置を検出する上流側光学センサと、
前記上流側光学センサよりも下流位置において、前記プラスチックフィルムの送り経路に設けられ、前記プラスチックフィルムを送る送りローラと、
前記上流側光学センサよりも下流位置において、前記プラスチックフィルムの送り経路に設けられ、前記プラスチックフィルムを延伸させるプラスチックフィルム延伸装置と、
前記送りローラおよびプラスチックフィルム延伸装置よりも下流位置において、前記プラスチックフィルムの送り経路に設けられ、前記上流側光学センサから所定距離を置いて配置され、その距離は印刷ピッチの基準値の整数倍に対応し、前記プラスチックフィルムの印刷位置を検出する下流側光学センサと、
前記上流側光学センサの検出信号を受け、その検出信号にもとづき、前記送りローラを駆動し、前記プラスチックフィルムをその印刷ピッチずつ間欠的に送り、間欠送り毎に、前記プラスチックフィルムを一時的に停止させるとともに、前記上流側光学センサの検出信号にもとづき、前記プラスチックフィルムの印刷ピッチを測定し、その測定値が印刷ピッチの基準値よりも小さく、両者の差が第１設定値を超えたとき、前記プラスチックフィルム延伸装置を駆動し、前記プラスチックフィルムが一時的に停止しているとき、前記プラスチックフィルム延伸装置によって前記プラスチックフィルムを延伸させ、その印刷ピッチを矯正し、さらに、前記下流側光学センサの検出信号を受け、前記上流側および下流側光学センサの検出信号にもとづき、所定数の印刷柄の総和ピッチを測定し、その測定値が総和ピッチの基準値よりも小さく、両者の差が第２設定値を超えたとき、前記プラスチックフィルム延伸装置を駆動し、前記プラスチックフィルムが一時的に停止しているとき、前記プラスチックフィルム延伸装置によって前記プラスチックフィルムを延伸させ、その総和ピッチを矯正する制御装置とからなるプラスチックフィルムの印刷ピッチ矯正装置。
【発明の詳細な説明】
【技術分野】
【０００１】
この発明は、プラスチックフィルムの印刷ピッチ矯正装置に関する。
【背景技術】
【０００２】
たとえば、印刷柄のあるプラスチック袋を製造する製袋機では、プラスチックフィルムがその長さ方向に送られる。プラスチックフィルムは一定の印刷ピッチをもって反復印刷された印刷柄を有する。そして、プラスチックフィルムがその印刷ピッチずつ間欠的に送られ、間欠送り毎に、プラスチックフィルムが一時的に停止する。さらに、普通、複数枚のフィルムが互いに重ね合わされ、その間欠送り毎に、プラスチックフィルムが一時的に停止しているとき、ヒートシール装置およびクロスカッタによって各フィルムがヒートシールされ、クロスカットされ、プラスチック袋が製造される。
【０００３】
この場合、各フィルムの印刷柄を互いに整合させる必要があるが、各フィルムの印刷ピッチに微小誤差が生じ、その微小誤差が随時累積し、累積誤差によって各フィルムの印刷柄がずれるという問題がある。したがって、特許文献１に記載されているように、この出願前、出願人は特別の構成の印刷ピッチ矯正装置を開発し、提案した。
【０００４】
特許文献１の装置は複数個の光学センサを有する。そして、各光学センサが各フィルムの送り経路に設けられ、各光学センサによって各フィルムの印刷位置が検出され、比較され、特定のフィルムの印刷位置が他のフィルムの印刷位置よりも前方にあるとき、各光学センサよりも上流位置において、特定のフィルムが部分的に加熱され、テンションによってその加熱部分が延伸される。これによって特定のフィルムの印刷ピッチが矯正され、各フィルムの印刷柄が互いに整合する。
【０００５】
しかしながら、特許文献１の装置の場合、各フィルムの印刷ピッチを相対的に矯正し、その印刷柄を互いに整合させることはできても、プラスチックフィルムの印刷ピッチを個別に矯正し、固定値に保つことはできない。そして、延伸されるとき、その延伸量だけプラスチックフィルムの印刷ピッチが変動する。その後、印刷柄の所定位置において、ヒートシール装置およびクロスカッタによって各フィルムがヒートシールされ、クロスカットされ、プラスチック袋が製造される。したがって、変動した印刷ピッチによってプラスチック袋の大きさが変化し、これを一定に保つことができないという問題がある。製袋機が運転されているとき、印刷ピッチの変動にともない、駆動機構によってヒートシール装置およびクロスカッタを移動させ、その位置を調整し、印刷柄の所定位置で各フィルムがヒートシールされ、クロスカットされるようにせねばならず、その技術上の問題もある。
【０００６】
さらに、特許文献１において、プラスチックフィルムの印刷ピッチを矯正し、その平均ピッチを一定化することも提案されているが、この場合、矯正され、一定化されるのはあくまで平均ピッチである。プラスチックフィルムの印刷ピッチを個別に矯正することはできない。
【０００７】
ちなみに、特許文献１の装置では、プラスチックフィルムが部分的に加熱され、テンションによってその加熱部分が延伸されるが、プラスチックフィルムはそれに適するとは限らない。したがって、特許文献２に記載されているように、その後、出願人は異なる形式のプラスチックフィルム延伸装置を開発した。その延伸装置では、ころによってプラスチックフィルムを延伸させることができ、プラスチックフィルムを部分的に加熱する必要はない。
【０００８】
この発明は、一定の印刷ピッチをもって反復印刷された印刷柄を有するプラスチックフィルムの印刷ピッチ矯正装置として新しい構成のものを提供し、プラスチックフィルムの印刷ピッチを個別に矯正することを目的とする。
【先行技術文献】
【特許文献】
【０００９】
【特許文献１】特許第４１２１７２２号公報
【特許文献２】特許第４４６１２０１号公報
【発明の概要】
【００１０】
この発明によれば、プラスチックフィルムがその印刷ピッチずつ間欠的に送られ、間欠送り毎に、プラスチックフィルムが一時的に停止する。さらに、印刷ピッチ測定光学センサがプラスチックフィルムの送り経路に設けられ、印刷ピッチ測定光学センサによってプラスチックフィルムの印刷位置が検出され、その印刷ピッチが測定される。さらに、印刷ピッチ測定光学センサよりも下流位置において、プラスチックフィルム延伸装置がプラスチックフィルムの送り経路に設けられ、印刷ピッチの測定後、プラスチックフィルムが一時的に停止しているとき、プラスチックフィルム延伸装置によってプラスチックフィルムが延伸され、その印刷ピッチが矯正される。
【００１１】
好ましい実施例では、総和ピッチ測定光学センサがプラスチックフィルムの送り経路に設けられ、印刷ピッチの矯正後、総和ピッチ測定光学センサによってプラスチックフィルムの印刷位置が検出され、所定数の印刷柄の総和ピッチが測定される。さらに、二次的延伸装置がプラスチックフィルムの送り経路に設けられ、総和ピッチの測定後、プラスチックフィルムが一時的に停止しているとき、二次的延伸装置によってプラスチックフィルムが延伸され、その総和ピッチが矯正される。
【００１２】
さらに、制御装置が印刷ピッチ測定光学センサの検出信号を受け、その検出信号にもとづき、制御装置によってプラスチックフィルムの印刷ピッチが測定され、その測定値が印刷ピッチの基準値よりも小さく、両者の差があらかじめ設定された設定値を超えたとき、制御装置によってプラスチックフィルム延伸装置が駆動され、プラスチックフィルムが延伸され、その印刷ピッチが矯正される。
【００１３】
さらに、矯正された印刷ピッチに不足または過剰矯正量があるとき、制御装置にその不足または過剰矯正量が記憶される。そして、次の印刷ピッチが測定されたとき、測定された値で前回の不足または過剰矯正量が精算され、その精算値が測定値として使用され、その測定値と基準値の差によってプラスチックフィルム延伸装置が駆動される。
【００１４】
あらかじめ設定された設定値はプラスチックフィルム延伸装置の最小延伸量であってもよい。この場合、測定値と基準値の差がプラスチックフィルム延伸装置の最小延伸量を超えたとき、制御装置によってプラスチックフィルム延伸装置が駆動され、プラスチックフィルムが延伸される。さらに、最小延伸量よりも小さい未矯正量がプラスチックフィルムの印刷ピッチに残ったとき、制御装置にその未矯正量が記憶され、次の印刷ピッチが測定されたとき、測定された値から前回の未矯正量が減算され、その減算値が測定値として使用され、その測定値と基準値の差によってプラスチックフィルム延伸装置が駆動される。
【００１５】
さらに、制御装置が総和ピッチ測定光学センサの検出信号を受け、その検出信号にもとづき、制御装置によって所定数の印刷柄の総和ピッチが測定され、その測定値が総和ピッチの基準値よりも小さく、両者の差があらかじめ設定された設定値を超えたとき、制御装置によって二次的延伸装置が駆動され、プラスチックフィルムが延伸され、その総和ピッチが矯正される。
【００１６】
さらに、矯正された総和ピッチに不足または過剰矯正量があるとき、制御装置にその不足または過剰矯正量が記憶される。そして、次の総和ピッチが測定されたとき、測定された値で前回の不足または過剰矯正量が精算され、その精算値が測定値として使用され、その測定値と基準値の差によって二次的延伸装置が駆動される。
【００１７】
あらかじめ設定された設定値は二次的延伸装置の最小延伸量であってもよい。この場合、測定値と基準値の差が二次的延伸装置の最小延伸量を超えたとき、制御装置によって二次的延伸装置が駆動され、プラスチックフィルムが延伸される。さらに、最小延伸量よりも小さい未矯正量がプラスチックフィルムの総和ピッチに残ったとき、制御装置にその総和ピッチが記憶され、次の総和ピッチが測定されたとき、測定された値から前回の未矯正量が減算され、その減算値が測定値として使用され、その測定値と基準値の差によって二次的延伸装置が駆動される。
【００１８】
さらに、上流側光学センサがプラスチックフィルムの送り経路に設けられ、上流側光学センサよりも下流位置において、下流側光学センサがプラスチックフィルムの送り経路に設けられ、上流側光学センサから所定距離を置いて配置される。その距離は印刷ピッチの基準値の整数倍に対応する。そして、上流側および下流側光学センサによってプラスチックフィルムの印刷位置が検出される。印刷ピッチ測定光学センサは上流側光学センサからなる。したがって、上流側光学センサによってプラスチックフィルムの印刷ピッチが測定される。総和ピッチ測定光学センサは上流側および下流側光学センサからなる。したがって、上流側および下流側光学センサによって所定数の印刷柄の総和ピッチが測定される。
【００１９】
さらに、上流側光学センサよりも上流位置において、追加光学センサがプラスチックフィルムの送り経路に設けられ、上流側光学センサから所定距離を置いて配置される。その距離はプラスチックフィルムの印刷ピッチまたはその整数倍に対応する。そして、追加光学センサによってプラスチックフィルムの印刷位置が検出される。印刷ピッチ測定光学センサは上流側光学センサと追加光学センサからなる。したがって、追加光学センサおよび上流側光学センサによってプラスチックフィルムの印刷ピッチが測定される。
【００２０】
さらに、上流側光学センサよりも下流位置において、プラスチックフィルム延伸装置がプラスチックフィルムの送り経路に設けられ、プラスチックフィルム延伸装置よりも下流位置において、下流側光学センサがプラスチックフィルムの送り経路に設けられ、下流側光学センサよりも下流位置において、二次的延伸装置がプラスチックフィルムの送り経路に設けられる。
【００２１】
他の実施例では、プラスチックフィルム延伸装置および二次的延伸装置は単一の延伸装置からなる。そして、上流側光学センサの下流位置において、単一の延伸装置がプラスチックフィルムの送り経路に設けられ、単一の延伸装置よりも下流位置において、下流側光学センサがプラスチックフィルムの送り経路に設けられる。
【００２２】
さらに、上流側光学センサよりも下流位置において、送りローラがプラスチックフィルムの送り経路に設けられる。そして、制御装置が上流側光学センサの検出信号を受け、その検出信号にもとづき、制御装置によって送りローラが駆動され、プラスチックフィルムがその印刷ピッチずつ間欠的に送られる。
【００２３】
さらに、好ましい実施例では、製袋機に印刷ピッチ矯正装置が使用され、印刷ピッチの矯正後、複数枚のフィルムが互いに重ね合わされ、その間欠送り毎に、ヒートシール装置およびクロスカッタによって各フィルムがヒートシールされ、クロスカットされ、プラスチック袋が製造される。
【００２４】
したがって、この発明によれば、プラスチックフィルムが長さ方向に送られ、上流側光学センサ、送りローラ、プラスチックフィルム延伸装置、下流側光学センサおよび二次的延伸装置がプラスチックフィルムの送り経路に設けられる。そして、上流側光学センサの検出信号にもとづき、制御装置によってプラスチックフィルムの印刷ピッチが測定され、その測定値が印刷ピッチの基準値よりも小さく、両者の差が第１設定値を超えたとき、制御装置によってプラスチックフィルム延伸装置が駆動され、プラスチックフィルムが一時的に停止しているとき、プラスチックフィルム延伸装置によってプラスチックフィルムが延伸され、その印刷ピッチが矯正される。さらに、上流側および下流側光学センサの検出信号にもとづき、制御装置によって所定数の印刷柄の総和ピッチが測定され、その測定値が総和ピッチの基準値よりも小さく、両者の差が第２設定値を超えたとき、制御装置によって二次的延伸装置が駆動され、プラスチックフィルムが一時的に停止しているとき、二次的延伸装置によってプラスチックフィルムが延伸され、その総和ピッチが矯正される。
【００２５】
プラスチックフィルム延伸装置をプラスチックフィルムの送り経路に設け、プラスチックフィルム延伸装置によってプラスチックフィルムを延伸させ、その印刷ピッチを矯正する。さらに、その延伸装置によってプラスチックフィルムを延伸させ、その総和ピッチを矯正するようにしてもよい。
【図面の簡単な説明】
【００２６】
【図１】Ａはこの発明の実施例を示す側面図、ＢはＡのプラスチックフィルムの平面図である。
【図２】Ａは図１のプラスチックフィルム延伸装置の正面図、ＢはＡのころの側面図である。
【図３】図１の印刷ピッチ矯正装置を使用した製袋機の側面図である。
【図４】他の実施例を示す側面図である。
【発明を実施するための形態】
【００２７】
以下、この発明の実施例を説明する。
【００２８】
図１はこの発明にかかるプラスチックフィルム延伸装置を示す。この装置では、プラスチックフィルム１がその長さ方向に送られ、送り方向Ｘに送られる。プラスチックフィルム１は一定の印刷ピッチＰをもって反復印刷された印刷柄Ａを有する。送り方向Ｘは印刷柄Ａの反復方向である。さらに、この装置では、プラスチックフィルム１の印刷ピッチＰがその基準値Ｐ０と比較される。その詳細は後述する。そして、プラスチックフィルム１がその印刷ピッチＰずつ間欠的に送られ、間欠送り毎に、プラスチックフィルム１が一時的に停止する。
【００２９】
さらに、印刷ピッチ測定光学センサがプラスチックフィルム１の送り経路に設けられ、印刷ピッチ測定光学センサによってプラスチックフィルム１の印刷位置が検出され、その印刷ピッチＰが測定される。この実施例では、上流側光学センサ２がプラスチックフィルム１の送り経路に設けられ、上流側光学センサ２よりも下流位置において、送りローラ３がプラスチックフィルム１の送り経路に設けられる。送りローラ３はプラスチックフィルム１を送るためのものである。そして、上流側光学センサ２によってプラスチックフィルム１の印刷位置が検出される。たとえば、上流側光学センサ２にマークセンサが使用され、プラスチックフィルム１の印刷位置にマークＭが付され、マークセンサによってプラスチックフィルム１のマークＭが検出される。これによってプラスチックフィルム１の印刷位置が検出される。印刷ピッチ測定光学センサは上流側光学センサ２からなる。そして、後述するように、上流側光学センサ２によってプラスチックフィルム１の印刷ピッチＰが測定される。一方、送りローラ３は一対のローラからなる。そして、各ローラ間にプラスチックフィルム１が挟まれ、駆動モータによって各ローラが回転し、プラスチックフィルム１が送られる。普通、各ローラにゴムローラが使用される。
【００３０】
さらに、印刷ピッチ測定光学センサよりも下流位置において、プラスチックフィルム延伸装置４がプラスチックフィルム１の送り経路に設けられ、印刷ピッチＰの測定後、プラスチックフィルム１が一時的に停止しているとき、プラスチックフィルム延伸装置４によってプラスチックフィルム１が延伸され、その印刷ピッチＰが矯正される。プラスチックフィルム１はその長さ方向に延伸される。この実施例では、上流側光学センサ２が印刷ピッチ測定光学センサであり、上流側光学センサ２よりも下流位置において、プラスチックフィルム延伸装置４がプラスチックフィルム１の送り経路に設けられる。さらに、この実施例では、上流側光学センサ２よりも下流位置において、送りローラ３がプラスチックフィルム送り経路に設けられ、その下流位置において、プラスチックフィルム延伸装置４がプラスチックフィルム１の送り経路に設けられている。そして、プラスチックフィルム延伸装置４が上流側光学センサ２から所定距離を置いて配置される。その詳細も後述する。
【００３１】
図２に示すように、プラスチックフィルム延伸装置４は特許文献２の装置からなり、複数個のころ５を有する。さらに、プラスチックフィルム１がその長さ方向に送られ、ベース６に導かれ、ころ５はプラスチックフィルム１の幅方向に配列され、プラスチックフィルム１およびベース５に対向し、支軸７のまわりを回転可能である。ころ５はテーパ状の外周縁８を有し、支軸７はプラスチックフィルム１の長さ方向にのびる。そして、駆動機構によってころ５が移動し、押し下げられ、その外周縁８がプラスチックフィルム１に押し付けられる。さらに、ころ５がプラスチックフィルム１の幅方向に移動し、プラスチックフィルム１に沿って転動し、ころ５によってプラスチックフィルム１が延伸される。特許文献２に記載されているように、プラスチックフィルム１を延伸させるとき、駆動機構によってころ５の数および種類を選択し、延伸量を調整することもできる。延伸量を複数倍に増大させることもできる。
【００３２】
さらに、総和ピッチ測定光学センサがプラスチックフィルム１の送り経路に設けられ、印刷ピッチＰの矯正後、総和ピッチ測定光学センサによってプラスチックフィルム１の印刷位置が検出され、所定数の印刷柄Ａの総和ピッチＰ（１）＋Ｐ（２）＋−−−−＋Ｐ（Ｎ）が測定される。この実施例では、上流側光学センサ２よりも下流位置において、下流側光学センサ９がプラスチックフィルム１の送り経路に設けられ、上流側光学センサ２から所定距離を置いて配置されている。その距離は印刷ピッチの基準値Ｐ０の整数倍に対応する。そして、下流側光学センサ９によってプラスチックフィルム１の印刷位置が検出される。たとえば、上流側光学センサ２と同様、下流側光学センサ９にマークセンサが使用され、マークセンサによってプラスチックフィルム１のマークＭが検出され、印刷位置が検出される。総和ピッチ測定光学センサは上流側および下流側光学センサ２，９からなる。そして、後述するように、上流側および下流側光学センサ２，９によって所定数の印刷柄Ａの総和ピッチＰ（１）＋Ｐ（２）＋−−−−＋Ｐ（Ｎ）が測定される。
【００３３】
さらに、二次的延伸装置１０がプラスチックフィルム１の送り経路に設けられ、総和ピッチＰ（１）＋Ｐ（２）＋−−−−＋Ｐ（Ｎ）の測定後、プラスチックフィルム１が一時的に停止しているとき、二次的延伸装置１０によってプラスチックフィルム１が延伸され、その総和ピッチＰ（１）＋Ｐ（２）＋−−−−＋Ｐ（Ｎ）が矯正される。プラスチックフィルム１はその長さ方向に延伸される。この実施例では、プラスチックフィルム延伸装置４よりも下流位置において、下流側光学センサ９がプラスチックフィルム１の送り経路に設けられ、下流側光学センサ９よりも下流位置において、二次的延伸装置１０がプラスチックフィルム１の送り経路に設けられている。二次的延伸装置１０はプラスチックフィルム延伸装置４と同様の構成のものである。したがって、ころ５によってプラスチックフィルム１を延伸させることができ、その延伸量を調整することもできる。その後、プラスチックフィルム１がダンサローラ１１を通り、排出される。
【００３４】
さらに、制御装置１２が上流側光学センサ２、送りローラ３、プラスチックフィルム延伸装置４、下流側光学センサ９および二次的延伸装置１０に接続される。そして、制御装置１２によって送りローラ３が駆動され、プラスチックフィルム延伸装置４および二次的延伸装置１０が駆動される。この実施例では、送りローラ３に一対のローラが使用され、駆動モータによって各ローラが駆動され、回転することは前述したとおりであり、厳密にいうと、制御装置１２は駆動モータに接続される。そして、制御装置１２によって駆動モータが制御され、送りローラ３が駆動される。さらに、プラスチックフィルム延伸装置４および二次的延伸装置１０において、駆動機構によってころ５が移動し、プラスチックフィルム１が延伸されることも前述したとおりである。したがって、制御装置１２が駆動機構に接続され、制御装置１２によって駆動機構が制御され、ころ５が駆動され、移動する。制御装置１２はコンピュータからなる。
【００３５】
そして、制御装置１２が上流側光学センサ２の検出信号を受け、その検出信号にもとづき、制御装置１２によって送りローラ３が駆動され、プラスチックフィルム１がその印刷ピッチＰずつ間欠的に送られ、間欠送り毎に、プラスチックフィルム１が一時的に停止する。さらに、間欠送り毎に、上流側光学センサ２の検出信号にもとづき、制御装置１２によってプラスチックフィルム１の印刷ピッチＰが測定され、その測定値が印刷ピッチの基準値Ｐ０よりも小さく、両者の差Ｐ０−Ｐがあらかじめ設定された設定値を超えたとき、制御装置１２によってプラスチックフィルム延伸装置４が駆動され、プラスチックフィルム１が一時的に停止しているとき、プラスチックフィルム延伸装置４によってプラスチックフィルム１が延伸され、その印刷ピッチＰが矯正される。なお、あらかじめ設定された設定値を超えたとき、プラスチックフィルム延伸装置４が駆動されるが、その設定値は第１設定値である。さらに、通常、プラスチックフィルム１の印刷ピッチＰがその基準値Ｐ０よりも小さく選定される。したがって、プラスチックフィルム１の印刷ピッチＰが測定されたとき、その測定値は印刷ピッチの基準値Ｐ０よりも小さいことが多い。そして、両者の差Ｐ０−Ｐが第１設定値を超えたとき、プラスチックフィルム延伸装置４によってプラスチックフィルム１が延伸され、その印刷ピッチＰが矯正されるものである。
【００３６】
さらに、この実施例では、上流側光学センサ２よりも上流位置において、追加光学センサ１３がプラスチックフィルム１の送り経路に設けられ、上流側光学センサ２から所定距離を置いて配置される。その距離はプラスチックフィルム１の印刷ピッチＰまたはその整数倍に対応する。そして、プラスチックフィルム１がダンサローラ１４を通り、追加光学センサ１３および上流側光学センサ２に導かれ、追加光学センサ１３および上流側光学センサ２によってプラスチックフィルム１の印刷位置が検出される。たとえば、追加光学センサ１３にマークセンサが使用され、マークセンサによってプラスチックフィルム１のマークＭが検出され、印刷位置が検出される。印刷ピッチ測定光学センサは上流側光学センサ２と追加光学センサ１３からなる。そして、追加光学センサ１３および上流側光学センサ２によってプラスチックフィルム１の印刷ピッチＰが測定される。さらに、この実施例では、制御装置１２が追加光学センサ１３に接続され、追加光学センサ１３の検出信号を受け、追加光学センサ１３および上流側光学センサ２の検出信号にもとづき、制御装置１２によってプラスチックフィルム１の印刷ピッチＰが測定される。したがって、プラスチックフィルム１が一時的に停止しているとき、追加光学センサ１３および上流側光学センサ２によってプラスチックフィルム１の印刷位置を検出し、その検出信号によってプラスチックフィルム１の印刷ピッチＰを測定することもできる。この結果、正確にプラスチックフィルム１の印刷ピッチＰを測定することができ、好ましい。そして、その測定値が印刷ピッチの基準値Ｐ０よりも小さく、両者の差Ｐ０−Ｐが第１設定値を超えたとき、制御装置１２にそれが記憶される。その後、送りローラ３によってプラスチックフィルム１が送られ、測定された印刷ピッチＰの部分がプラスチックフィルム延伸装置４に達したとき、制御装置１２によってプラスチックフィルム延伸装置４が駆動され、プラスチックフィルム１が一時的に停止しているとき、プラスチックフィルム延伸装置４によってプラスチックフィルム１が延伸され、その印刷ピッチＰが矯正される。
【００３７】
さらに、矯正された印刷ピッチＰに不足または過剰矯正量があるとき、制御装置１２にその不足または過剰矯正量が記憶される。そして、次の印刷ピッチＰが測定されたとき、測定された値で前回の不足または過剰矯正量が精算され、その精算値が測定値として使用され、その測定値と基準値Ｐ０の差によってプラスチックフィルム延伸装置４が駆動される。
【００３８】
たとえば、この実施例では、プラスチックフィルム延伸装置４は複数個のころ５を有する。そして、ころ５によって延伸量を調節することができ、これを複数倍に増大させることもできる。したがって、プラスチックフィルム延伸装置４によってプラスチックフィルム１を延伸させるとき、その最小延伸量ｄだけプラスチックフィルム１を延伸させることができ、２倍の延伸量２ｄだけプラスチックフィルム１を延伸させることもでき、３倍の延伸量３ｄだけプラスチックフィルム１を延伸させることもできる。さらに、測定値と基準値Ｐ０の差Ｐ０−Ｐが第１設定値を超えたとき、プラスチックフィルム延伸装置４によってプラスチックフィルム１が延伸されるが、第１設定値はプラスチックフィルム延伸装置４の最小延伸量ｄである。したがって、測定値と基準値Ｐ０の差Ｐ０−Ｐがプラスチックフィルム延伸装置４の最小延伸量ｄを超えたとき、プラスチックフィルム延伸装置４によってプラスチックフィルム１が延伸され、その印刷ピッチＰが矯正される。
【００３９】
さらに、プラスチックフィルム１の印刷ピッチＰがその基準値Ｐ０よりも小さく選定されるとき、その差Ｐ０−Ｐはプラスチックフィルム延伸装置４の２倍の延伸量２ｄよりも小さく選定される（Ｐ０−Ｐ＝０〜２ｄ）。そして、追加光学センサ１３および上流側光学センサ２によってプラスチックフィルム１の印刷ピッチＰが測定され、その測定値と基準値Ｐ０の差Ｐ０−Ｐがプラスチックフィルム延伸装置４の最小延伸量ｄを超えるが、２倍の延伸量２ｄを超えないとき、最小延伸量ｄだけプラスチックフィルム１が延伸される。さらに、測定値と基準値Ｐ０の差Ｐ０−Ｐがプラスチックフィルム延伸装置４の２倍の延伸量２ｄを超えるが、３倍の延伸量３ｄを超えないとき、２倍の延伸量２ｄだけプラスチックフィルム１が延伸される。
【００４０】
さらに、プラスチックフィルム１の印刷ピッチＰが測定され、その測定値と基準値Ｐ０の差Ｐ０−Ｐがプラスチックフィルム延伸装置４の最小延伸量ｄを超えないとき、プラスチックフィルム１は延伸されず、印刷ピッチＰは矯正されない。したがって、最小延伸量ｄよりも小さい未矯正量が印刷ピッチＰに残るが、残ったとき、制御装置１２にその未矯正量が記憶され、次の印刷ピッチＰが測定されたとき、測定された値から前回の未矯正量が減算され、その減算値が測定値として使用され、その測定値と基準値の差によってプラスチックフィルム延伸装置４が駆動され、プラスチックフィルム１が延伸される。
【００４１】
さらに、最小延伸量ｄを超えるが、２倍の延伸量２ｄを超えないとき、最小延伸量ｄだけプラスチックフィルム１が延伸される関係上、矯正された印刷ピッチＰに不足矯正量が残る。さらに、２倍の延伸量２ｄを超えるが、３倍の延伸量３ｄを超えないとき、２倍の延伸量２ｄだけプラスチックフィルム１が延伸される関係上、矯正された印刷ピッチＰに不足矯正量が残る。そして、不足矯正量があるとき、制御装置１２にその不足矯正量が記憶され、次の印刷ピッチＰが測定されたとき、測定された値から不足矯正量が減算され、その減算値が測定値として使用され、その測定値と基準値の差によってプラスチックフィルム延伸装置４が駆動される。
【００４２】
第１設定値はプラスチックフィルム延伸装置４の最小延伸量ｄではなく、それよりも小さい値であってもよい。第１設定値をできるだけ小さい値に選定することも考えられ、０に選定することも考えられる。この場合、測定値と基準値Ｐ０の差Ｐ０−Ｐがプラスチックフィルム延伸装置４の最小延伸量ｄを超えなくても、プラスチックフィルム延伸装置４によってプラスチックフィルム１が延伸される。さらに、プラスチックフィルム延伸装置４の最小延伸量ｄを超えないとき、最小延伸量ｄだけプラスチックフィルム１が延伸され、最小延伸量ｄを超えるが、２倍の延伸量２ｄを超えないとき、２倍の延伸量２ｄだけプラスチックフィルム１が延伸され、２倍の延伸量２ｄを超えるが、３倍の延伸量３ｄを超えないとき、３倍の延伸量３ｄだけプラスチックフィルム１が延伸される。
【００４３】
この場合、反対に、矯正された印刷ピッチＰに過剰矯正量が生じる。したがって、過剰矯正量があるとき、制御装置１２にその過剰矯正量が記憶され、次の印刷ピッチＰが測定されたとき、測定された値に過剰矯正量が加算され、その加算値が測定値として使用され、その測定値と基準値の差によってプラスチックフィルム延伸装置４が駆動される。
【００４４】
さらに、この装置では、制御装置１２が下流側光学センサ９の検出信号を受け、上流側および下流側光学センサ２，９の検出信号にもとづき、制御装置１２によって所定数の印刷柄Ａの総和ピッチＰ（１）＋Ｐ（２）＋−−−−＋Ｐ（Ｎ）が測定され、その測定値が総和ピッチの基準値Ｐ０×Ｎよりも小さく、両者の差Ｓ＝ΣＳｉがあらかじめ設定された設定値を超えたとき、制御装置１２にそれが記憶される。その設定値は第２設定値である。総和ピッチＰ（１）＋Ｐ（２）＋−−−−＋Ｐ（Ｎ）は上流側および下流側光学センサ２，９間の総和ピッチであり、基準値Ｐ０×Ｎは上流側および下流側光学センサ２，９間の基準値である。その後、送りローラ３によってプラスチックフィルム１が送られ、測定された総和ピッチＰ（１）＋Ｐ（２）＋−−−−＋Ｐ（Ｎ）の部分が二次的延伸装置１０に達したとき、制御装置１２によって二次的延伸装置１０が駆動され、プラスチックフィルム１が一時的に停止しているとき、二次的延伸装置１０によってプラスチックフィルム１が延伸され、その総和ピッチＰ（１）＋Ｐ（２）＋−−−−＋Ｐ（Ｎ）が矯正される。
【００４５】
なお、プラスチックフィルム延伸装置４が上流側光学センサ２から所定距離を置いて配置されることは前述したとおりであるが、その距離はプラスチックフィルム１の印刷ピッチＰに対応する距離またはそれよりも小さい距離である。そして、追加光学センサ１３および上流側光学センサ２によってプラスチックフィルム１の印刷ピッチＰが測定され、送りローラ３によってプラスチックフィルム１が送られ、プラスチックフィルム延伸装置４によってプラスチックフィルム１が延伸され、その印刷ピッチＰが矯正される。その後、上流側および下流側光学センサ２，９によって所定数の印刷柄Ａの総和ピッチＰ（１）＋Ｐ（２）＋−−−−＋Ｐ（Ｎ）が測定される。したがって、上流側および下流側光学センサ２，９間において、測定される総和ピッチＰ（１）＋Ｐ（２）＋−−−−＋Ｐ（Ｎ）に含まれるのはすべて矯正された印刷ピッチＰである。
【００４６】
印刷ピッチＰが相当小さいとき、プラスチックフィルム延伸装置４を上流側光学センサ２から所定距離を置いて配置し、その距離をプラスチックフィルム１の印刷ピッチＰに対応する距離またはそれよりも小さい距離に選定することは困難である。この場合、総和ピッチＰ（１）＋Ｐ（２）＋−−−−＋Ｐ（Ｎ）を測定するとき、上流側および下流側光学センサ２，９間において、その印刷ピッチＰがすべて矯正されているようにすることはできないが、矯正されていない印刷ピッチＰが総和ピッチＰ（１）＋Ｐ（２）＋−−−−＋Ｐ（Ｎ）に含まれても、追加光学センサ１３および上流側光学センサ２によってプラスチックフィルム１の印刷ピッチＰを測定し、その矯正すべき量を算出することはできる。したがって、総和ピッチＰ（１）＋Ｐ（２）＋−−−−＋Ｐ（Ｎ）を測定したとき、その値に印刷ピッチＰの矯正すべき量を加算し、その加算値を測定値として使用することができる。
【００４７】
さらに、矯正された総和ピッチＰ（１）＋Ｐ（２）＋−−−−＋Ｐ（Ｎ）に不足または過剰矯正量があるとき、制御装置１２にその不足または過剰矯正量が記憶される。そして、次の総和ピッチＰ（１）＋Ｐ（２）＋−−−−＋Ｐ（Ｎ）が測定されたとき、測定された値で前回の不足または過剰矯正量が精算され、その精算値が測定値として使用され、その測定値と基準値Ｐ０×Ｎの差Ｓ＝ΣＳｉによって二次的延伸装置１０が駆動される。
【００４８】
たとえば、この実施例では、二次的延伸装置１０によってプラスチックフィルム１を延伸させるとき、プラスチックフィルム延伸装置４と同様、ころ５によって延伸量を調節することができ、その最小延伸量ｄだけプラスチックフィルム１を延伸させることができる。２倍の延伸量２ｄだけプラスチックフィルム１を延伸させることもでき、３倍の延伸量３ｄだけプラスチックフィルム１を延伸させることもできる。さらに、測定値と基準値Ｐ０×Ｎの差Ｓ＝ΣＳｉが第２設定値を超えたとき、二次的延伸装置１０によってプラスチックフィルム１が延伸されるが、第２設定値は二次的延伸装置１０の最小延伸量ｄである。したがって、測定値と基準値Ｐ０×Ｎの差Ｓ＝ΣＳｉが二次的延伸装置１０の最小延伸量ｄを超えたとき、二次的延伸装置１０によってプラスチックフィルム１が延伸され、その総和ピッチＰ（１）＋Ｐ（２）＋−−−−＋Ｐ（Ｎ）が矯正される。
【００４９】
さらに、プラスチックフィルム延伸装置４によってプラスチックフィルム１が延伸され、その印刷ピッチＰが矯正される関係上、総和ピッチＰ（１）＋Ｐ（２）＋−−−−＋Ｐ（Ｎ）が測定されたとき、その測定値と基準値Ｐ０×Ｎの差Ｓ＝ΣＳｉが二次的延伸装置１０の最小延伸量ｄを超えることは少なく、二次的延伸装置１０によってプラスチックフィルム１が延伸されることは少ない。そして、最小延伸量ｄを超えないとき、プラスチックフィルム１は延伸されず、総和ピッチＰ（１）＋Ｐ（２）＋−−−−＋Ｐ（Ｎ）は矯正されない。したがって、最小延伸量ｄよりも小さい未矯正量が総和ピッチＰ（１）＋Ｐ（２）＋−−−−＋Ｐ（Ｎ）に残るが、制御装置１２にそれが記憶される。さらに、次の総和ピッチＰ（１）＋Ｐ（２）＋−−−−＋Ｐ（Ｎ）が測定されたとき、測定された値から前回の未矯正量が減算され、その減算値が測定値として使用され、その測定値と基準値Ｐ０×Ｎの差Ｓ＝ΣＳｉによって二次的延伸装置１０が駆動される。
【００５０】
さらに、最小延伸量ｄを超えるが、２倍の延伸量２ｄを超えないとき、最小延伸量ｄだけプラスチックフィルム１が延伸される関係上、矯正された総和ピッチＰ（１）＋Ｐ（２）＋−−−−＋Ｐ（Ｎ）に不足矯正量が残る。さらに、２倍の延伸量２ｄを超えるが、３倍の延伸量３ｄを超えないとき、２倍の延伸量２ｄだけプラスチックフィルム１が延伸される関係上、矯正された総和ピッチＰ（１）＋Ｐ（２）＋−−−−＋Ｐ（Ｎ）に不足矯正量が残る。そして、不足矯正量があるとき、制御装置１２にその不足矯正量が記憶され、次の総和ピッチＰ（１）＋Ｐ（２）＋−−−−＋Ｐ（Ｎ）が測定されたとき、測定された値から不足矯正量が減算され、その減算値が測定値として使用され、その測定値と基準値の差によってプラスチックフィルム延伸装置４が駆動される。
【００５１】
第２設定値は二次的延伸装置１０の最小延伸量ｄではなく、それよりも小さい値であってもよい。第２設定値をできるだけ小さく選定することも考えられ、０に選定することも考えられる。この場合、測定値と基準値Ｐ０×Ｎの差Ｓ＝ΣＳｉが二次的延伸装置１０の最小延伸量ｄを超えなくても、二次的延伸装置１０によってプラスチックフィルム１が延伸される。さらに、二次的延伸装置１０の最小延伸量ｄを超えないとき、最小延伸量ｄだけプラスチックフィルム１が延伸され、最小延伸量ｄを超えるが、２倍の延伸量２ｄを超えないとき、２倍の延伸量２ｄだけプラスチックフィルム１が延伸され、２倍の延伸量２ｄを超えるが、３倍の延伸量３ｄを超えないとき、３倍の延伸量３ｄだけプラスチックフィルム１が延伸されるようにしてもよい。
【００５２】
この場合、反対に、矯正された総和ピッチＰ（１）＋Ｐ（２）＋−−−−＋Ｐ（Ｎ）に過剰矯正量が生じる。したがって、過剰矯正量があるとき、制御装置１２にその過剰矯正量を記憶させ、次の総和ピッチＰ（１）＋Ｐ（２）＋−−−−＋Ｐ（Ｎ）が測定されたとき、測定された値に過剰矯正量を加算し、その加算値を測定値として使用し、その測定値と基準値の差によってプラスチックフィルム延伸装置４を駆動するようにしてもよい。
【００５３】
測定値と基準値Ｐ０×Ｎの差Ｓ＝ΣＳｉが第２設定値を超えたとき、測定された総和ピッチＰ（１）＋Ｐ（２）＋−−−−＋Ｐ（Ｎ）のうち、どの印刷ピッチの部分でプラスチックフィルム１が延伸されるようにしてもよい。可能性は低いが、複数倍の延伸量２ｄ，３ｄだけプラスチックフィルム１を延伸させるとき、同一部分において、複数倍の延伸量２ｄ，３ｄだけプラスチックフィルム１が延伸されるようにしてもよく、複数の部分において、複数回にわたり、最小延伸量ｄだけプラスチックフィルム１が延伸されるようにしてもよい。
【００５４】
プラスチックフィルム１の間欠送り毎に、総和ピッチＰ（１）＋Ｐ（２）＋−−−−＋Ｐ（Ｎ）が測定されるようにしてもよい。プラスチックフィルム１がその印刷ピッチＰずつ間欠的に送られ、それが何回か繰り返される毎に、総和ピッチＰ（１）＋Ｐ（２）＋−−−−＋Ｐ（Ｎ）が測定されるようにしてもよい。総和ピッチＰ（１）＋Ｐ（２）＋−−−−＋Ｐ（Ｎ）に対応する回数だけプラスチックフィルム１が送られたとき、総和ピッチＰ（１）＋Ｐ（２）＋−−−−＋Ｐ（Ｎ）が測定されるようにしてもよい。
【００５５】
さらに、この実施例では、図３に示すように、複数個の印刷ピッチ矯正装置１５において、それぞれプラスチックフィルム１の印刷ピッチＰが矯正され、製袋機に各装置１５が使用され、印刷ピッチＰの矯正後、複数枚のフィルム１がガイドローラ１６に導かれ、互いに重ね合わされ、送りローラ１７に導かれ、送りローラ１７によって各フィルム１が送られる。さらに、各フィルム１がその印刷ピッチＰずつ間欠的に送られ、間欠送り毎に、各フィルム１が一時的に停止する。そして、間欠送り毎に、プラスチックフィルム１が一時的に停止しているとき、ヒートシール装置１８，１９およびクロスカッタ２０によって各フィルム１がヒートシールされ、クロスカットされ、プラスチック袋が製造される。たとえば、プラスチックフィルム１の長さ方向において、縦シール装置１８によって各フィルム１がヒートシールされ、その後、幅方向において、横シール装置１９によって各フィルム１がヒートシールされる。その後、幅方向において、クロスカッタ２０によって各フィルム１がクロスカットされ、各フィルム１によってプラスチック袋が製造される。
【００５６】
したがって、この装置の場合、まず、追加光学センサ１３および上流側光学センサ２によってプラスチックフィルム１の印刷ピッチＰが測定される。そして、測定毎に、その下流位置において、プラスチックフィルム延伸装置４によってプラスチックフィルム１が延伸され、その印刷ピッチＰが矯正される。印刷ピッチＰはその基準値Ｐ０に近づくよう矯正される。
【００５７】
さらに、印刷ピッチＰの矯正後、上流側および下流側光学センサ２，９によって所定数の印刷柄Ａの総和ピッチＰ（１）＋Ｐ（２）＋−−−−＋Ｐ（Ｎ）が測定され、必要があるとき、二次的延伸装置１０によってプラスチックフィルム１が延伸され、その総和ピッチＰ（１）＋Ｐ（２）＋−−−−＋Ｐ（Ｎ）が矯正される。したがって、プラスチックフィルム１の印刷ピッチＰが２段矯正され、これを正確に矯正することができる。
【００５８】
この結果、プラスチックフィルム１の印刷ピッチＰを個別に矯正し、その基準値Ｐ０に保つことができ、固定値に保つことができる。
【００５９】
したがって、その後、製袋機において、複数枚のフィルム１を互いに重ね合わせ、ヒートシール装置１８，１９およびクロスカッタ２０によって各フィルム１をヒートシールし、クロスカットし、プラスチック袋を製造するとき、印刷ピッチの累積誤差によって各フィルム１の印刷柄がずれるという問題はない。特許文献１の装置のように、変動した印刷ピッチによってプラスチック袋の大きさが変化するという問題もない。印刷ピッチの変動にともない、駆動機構によってヒートシール装置１８，１９およびクロスカッタ２０を移動させ、その位置を調整せねばならないという問題もない。
【００６０】
図４の実施例でも、追加光学センサ１３、上流側光学センサ２および送りローラ３がプラスチックフィルム１の送り経路に設けられることは図１の実施例と同様である。ただし、プラスチックフィルム延伸装置および二次的延伸装置は単一の延伸装置２１からなる。そして、上流側光学センサ２および送りローラ３よりも下流位置において、単一の延伸装置２１がプラスチックフィルム１の送り経路に設けられ、単一の延伸装置２１よりも下流位置において、下流側光学センサ９がプラスチックフィルム１の送り経路に設けられる。その延伸装置２１はプラスチックフィルム１を延伸させるためのもので、プラスチックフィルム延伸装置であり、プラスチックフィルム１はその長さ方向に延伸される。さらに、プラスチックフィルム延伸装置２１は図１の延伸装置４，１０と同様の構成のものである。したがって、プラスチックフィルム延伸装置２１によってプラスチックフィルム１を延伸させるとき、その最小延伸量ｄだけプラスチックフィルム１を延伸させることができる。２倍の延伸量２ｄだけプラスチックフィルム１を延伸させることもでき、３倍の延伸量３ｄだけプラスチックフィルム１を延伸させることもできる。
【００６１】
さらに、下流側光学センサ９が上流側光学センサ２から所定距離を置いて配置される。その距離は印刷ピッチの基準値Ｐ０の整数倍に対応する。さらに、制御装置１２が追加光学センサ１３、上流側光学センサ２、送りローラ３、プラスチックフィルム延伸装置２１および下流側光学センサ９に接続される。
【００６２】
そして、制御装置１２が上流側光学センサ２の検出信号を受け、上流側光学センサ２の検出信号にもとづき、制御装置１２によって送りローラ３が駆動され、プラスチックフィルム１がその印刷ピッチＰずつ間欠的に送られ、間欠送り毎に、プラスチックフィルム１が一時的に停止する。さらに、制御装置１２が追加光学センサ１３の検出信号を受け、追加光学センサ１３および上流側光学センサ２の検出信号にもとづき、制御装置１２によってプラスチックフィルム１の印刷ピッチＰが測定され、その測定値が印刷ピッチの基準値Ｐ０よりも小さく、両者の差が第１設定値を超えたとき、制御装置１２によってプラスチックフィルム延伸装置２１が駆動され、プラスチックフィルム１が一時的に停止しているとき、プラスチックフィルム延伸装置２１によってプラスチックフィルム１が延伸され、その印刷ピッチＰが矯正される。第１設定値はプラスチックフィルム延伸装置２１の最小延伸量ｄである。第１設定値はプラスチックフィルム延伸装置２１の最小延伸量ｄではなく、それよりも小さい値であってもよい。第１設定値をできるだけ小さい値に選定することも考えられ、０に選定することも考えられる。これも図１の実施例と同様である。
【００６３】
さらに、制御装置１２が下流側光学センサ９の検出信号を受け、上流側および下流側光学センサ２，９の検出信号にもとづき、制御装置１２によって所定数の印刷柄Ａの総和ピッチＰ（１）＋Ｐ（２）＋−−−−＋Ｐ（Ｎ）が測定され、その測定値が総和ピッチの基準値Ｐ０×Ｎよりも小さく、両者の差が第２設定値を超えたとき、制御装置１２によってプラスチックフィルム延伸装置２１が駆動され、プラスチックフィルム１が停止しているとき、プラスチックフィルム延伸装置２１によってプラスチックフィルム１が延伸され、その総和ピッチＰ（１）＋Ｐ（２）＋−−−−＋Ｐ（Ｎ）が矯正される。第２設定値もプラスチックフィルム延伸装置２１の最小延伸量ｄである。第２設定値はプラスチックフィルム延伸装置２１の最小延伸量ｄではなく、それよりも小さい値であってもよい。第２設定値をできるだけ小さい値に選定することも考えられ、０に選定することも考えられる。
【００６４】
図４の装置でも、上流側および下流側光学センサ２，９間において、測定される総和ピッチＰ（１）＋Ｐ（２）＋−−−−＋Ｐ（Ｎ）に含まれるのはすべて矯正された印刷ピッチＰである。総和ピッチＰ（１）＋Ｐ（２）＋−−−−＋Ｐ（Ｎ）を測定するとき、上流側および下流側光学センサ２，９間において、その印刷ピッチＰがすべて矯正されているようにすることができない場合、総和ピッチＰ（１）＋Ｐ（２）＋−−−−＋Ｐ（Ｎ）を測定したとき、その値に印刷ピッチＰを矯正すべき量を加算し、その加算値を測定値として使用してもよい。
【００６５】
追加光学センサ１３および上流側光学センサ２によってプラスチックフィルム１の印刷ピッチＰを測定し、上流側および下流側光学センサ２，９によって所定数の印刷柄Ａの総和ピッチＰ（１）＋Ｐ（２）＋−−−−＋Ｐ（Ｎ）を測定する。その後、プラスチックフィルム延伸装置２１によってプラスチックフィルム１を延伸させ、その印刷ピッチＰまたは総和ピッチＰ（１）＋Ｐ（２）＋−−−−＋Ｐ（Ｎ）を矯正するようにしてもよい。印刷ピッチＰと総和ピッチＰ（１）＋Ｐ（２）＋−−−−Ｐ（Ｎ）を同時に矯正するようにしてもよい。
【００６６】
さらに、図４の装置でも、矯正された総和ピッチＰ（１）＋Ｐ（２）＋−−−−＋Ｐ（Ｎ）に不足または過剰矯正量があるとき、制御装置１２にその不足または過剰矯正量が記憶される。そして、次の総和ピッチＰ（１）＋Ｐ（２）＋−−−−＋Ｐ（Ｎ）が測定されたとき、測定された値で前回の不足または過剰矯正量が精算され、その精算値が測定値として使用され、その測定値と基準値Ｐ０×Ｎの差Ｓ＝ΣＳｉによってプラスチックフィルム延伸装置２１が駆動される。
【００６７】
たとえば、矯正された総和ピッチＰ（１）＋Ｐ（２）＋−−−−＋Ｐ（Ｎ）に不足矯正量が残ることがあるが、次の総和ピッチＰ（１）＋Ｐ（２）＋−−−−＋Ｐ（Ｎ）が測定されたとき、測定された値から不足矯正量が減算され、その減算値が測定値として使用され、その測定値と基準値Ｐ０×Ｎの差Ｓ＝ΣＳｉによってプラスチックフィルム延伸装置２１が駆動される。さらに、矯正された総和ピッチＰ（１）＋Ｐ（２）＋−−−−＋Ｐ（Ｎ）に過剰矯正量が生じることがあるが、次の総和ピッチＰ（１）＋Ｐ（２）＋−−−−＋Ｐ（Ｎ）が測定されたとき、測定された値から過剰矯正量を減算し、その減算値を測定値として使用し、その測定値と基準値Ｐ０×Ｎの差Ｓ＝ΣＳｉによってプラスチックフィルム延伸装置２１を駆動するようにしてもよい。
【００６８】
さらに、総和ピッチＰ（１）＋Ｐ（２）＋−−−−＋Ｐ（Ｎ）が矯正されるとき、最小延伸量ｄよりも小さい未矯正量が総和ピッチＰ（１）＋Ｐ（２）＋−−−−＋Ｐ（Ｎ）に残ることがあるが、次の総和ピッチＰ（１）＋Ｐ（２）＋−−−−＋Ｐ（Ｎ）が測定されたとき、測定された値から前回の未矯正量を減算し、その減算値を測定値として使用し、その測定値と基準値Ｐ０×Ｎの差によってプラスチックフィルム延伸装置２１を駆動するようにしてもよい。
【００６９】
プラスチックフィルム１の間欠送り毎に、総和ピッチＰ（１）＋Ｐ（２）＋−−−−＋Ｐ（Ｎ）が測定されるようにしてもよい。プラスチックフィルム１がその印刷ピッチＰずつ間欠的に送られ、それが何回か繰り返される毎に、総和ピッチＰ（１）＋Ｐ（２）＋−−−−＋Ｐ（Ｎ）が測定されるようにしてもよい。総和ピッチＰ（１）＋Ｐ（２）＋−−−−＋Ｐ（Ｎ）に対応する回数だけプラスチックフィルム１が送られたとき、総和ピッチＰ（１）＋Ｐ（２）＋−−−−＋Ｐ（Ｎ）が測定されるようにしてもよい。
【００７０】
製袋機にプラスチックフィルム延伸装置が使用され、印刷ピッチＰの矯正後、複数枚のフィルム１が互いに重ね合わされ、その間欠送り毎に、ヒートシール装置およびクロスカッタによって各フィルム１がヒートシールされ、クロスカットされ、プラスチック袋が製造されることも図１−３の実施例と同様である。
【００７１】
したがって、図４の装置でも、印刷ピッチＰの測定毎に、その下流位置において、プラスチックフィルム延伸装置２１によってプラスチックフィルム１が延伸され、その印刷ピッチＰが矯正される。さらに、印刷ピッチＰの矯正後、上流側および下流側光学センサ２，９によって所定数の印刷柄Ａの総和ピッチＰ（１）＋Ｐ（２）＋−−−−＋Ｐ（Ｎ）が測定され、必要があるとき、プラスチックフィルム延伸装置２１によってプラスチックフィルム１が延伸され、その総和ピッチＰ（１）＋Ｐ（２）＋−−−−＋Ｐ（Ｎ）が矯正される。
【００７２】
したがって、プラスチックフィルム１の印刷ピッチＰが２段矯正され、これを正確に矯正することができる。この結果、プラスチックフィルム１の印刷ピッチＰを個別に矯正し、その基準値Ｐ０に保つことができ、固定値に保つことができる。
【符号の説明】
【００７３】
１  プラスチックフィルム
２  上流側光学センサ
３  送りローラ
４  プラスチックフィルム延伸装置
９  下流側光学センサ
１０  二次的延伸装置
１２  制御装置
１３  追加光学センサ
２１  プラスチックフィルム延伸装置
【図１】
2014073904.tif 000003
【図２】
2014073904.tif 000004
【図３】
2014073904.tif 000005
【図４】
2014073904.tif 000006
【手続補正書】
【提出日】平成25年5月15日(2013.5.15)
【手続補正１】
【補正対象書類名】特許請求の範囲
【補正対象項目名】全文
【補正方法】変更
【補正の内容】
【特許請求の範囲】
【請求項１】
一定の印刷ピッチをもって反復印刷された印刷柄を有するプラスチックフィルムをその印刷ピッチずつ間欠的に送り、間欠送り毎に、前記プラスチックフィルムを一時的に停止させる送りローラと、
前記プラスチックフィルムの送り経路に設けられ、前記プラスチックフィルムの印刷位置を検出し、その印刷ピッチを個別に測定する印刷ピッチ測定光学センサと、
前記印刷ピッチ測定光学センサよりも下流位置において、前記プラスチックフィルムの送り経路に設けられ、前記印刷ピッチの測定後、前記プラスチックフィルムが一時的に停止しているとき、前記プラスチックフィルムを延伸させ、その印刷ピッチを個別に矯正するプラスチックフィルム延伸装置と、
前記プラスチックフィルムの送り経路に設けられ、前記印刷ピッチの矯正後、前記プラスチックフィルムの印刷位置を検出し、所定数の印刷柄の総和ピッチを測定する総和ピッチ測定光学センサと、
前記プラスチックフィルムの送り経路に設けられ、前記総和ピッチの測定後、前記プラスチックフィルムが一時的に停止しているとき、前記プラスチックフィルムを延伸させ、その総和ピッチを矯正する二次的延伸装置とからなるプラスチックフィルムの印刷ピッチ矯正装置。
【請求項２】
制御装置が前記印刷ピッチ測定光学センサの検出信号を受け、その検出信号にもとづき、前記制御装置によって前記プラスチックフィルムの印刷ピッチが測定され、その測定値が印刷ピッチの基準値よりも小さく、両者の差があらかじめ設定された設定値を超えたとき、前記制御装置によって前記プラスチックフィルム延伸装置が駆動され、プラスチックフィルムが延伸され、その印刷ピッチが矯正されるようにした請求項１に記載の印刷ピッチ矯正装置。
【請求項３】
矯正された印刷ピッチに不足または過剰矯正量があるとき、前記制御装置にその不足または過剰矯正量が記憶され、次の印刷ピッチが測定されたとき、測定された値で前回の不足または過剰矯正量が精算され、その精算値が測定値として使用され、その測定値と前記基準値の差によって前記プラスチックフィルム延伸装置が駆動されるようにした請求項２に記載の印刷ピッチ矯正装置。
【請求項４】
前記あらかじめ設定された設定値は前記プラスチックフィルム延伸装置の最小延伸量であり、前記測定値と基準値の差が前記プラスチックフィルム延伸装置の最小延伸量を超えたとき、前記制御装置によって前記プラスチックフィルム延伸装置が駆動され、前記プラスチックフィルムが延伸され、前記最小延伸量よりも小さい未矯正量が前記プラスチックフィルムの印刷ピッチに残ったとき、前記制御装置にその未矯正量が記憶され、次の印刷ピッチが測定されたとき、測定された値から前回の未矯正量が減算され、その減算値が測定値として使用され、その測定値と前記基準値の差によって前記プラスチックフィルム延伸装置が駆動されるようにした請求項２に記載の印刷ピッチ矯正装置。
【請求項５】
制御装置が前記総和ピッチ測定光学センサの検出信号を受け、その検出信号にもとづき、前記制御装置によって所定数の印刷柄の総和ピッチが測定され、その測定値が総和ピッチの基準値よりも小さく、両者の差があらかじめ設定された設定値を超えたとき、前記制御装置によって前記二次的延伸装置が駆動され、プラスチックフィルムが延伸され、その総和ピッチが矯正されるようにした請求項１に記載の印刷ピッチ矯正装置。
【請求項６】
矯正された総和ピッチに不足または過剰矯正量があるとき、前記制御装置にその不足または過剰矯正量が記憶され、次の総和ピッチが測定されたとき、測定された値で前回の不足または過剰矯正量が精算され、その精算値が測定値として使用され、その測定値と前記基準値の差によって前記プラスチックフィルム延伸装置が駆動されるようにした請求項５に記載の印刷ピッチ矯正装置。
【請求項７】
前記あらかじめ設定された設定値は前記二次的延伸装置の最小延伸量であり、前記測定値と基準値の差が前記二次的延伸装置の最小延伸量を超えたとき、前記制御装置によって前記二次的延伸装置が駆動され、前記プラスチックフィルムが延伸され、前記最小延伸量よりも小さい未矯正量が前記プラスチックフィルムの総和ピッチに残ったとき、前記制御装置にその未矯正量が記憶され、次の総和ピッチが測定されたとき、測定された値から前回の未矯正量が減算され、その減算値が測定値として使用され、その測定値と前記基準値の差によって前記二次的延伸装置が駆動されるようにした請求項５に記載の印刷ピッチ矯正装置。
【請求項８】
上流側光学センサが前記プラスチックフィルムの送り経路に設けられ、前記上流側光学センサよりも下流位置において、下流側光学センサが前記プラスチックフィルムの送り経路に設けられ、前記上流側光学センサから所定距離を置いて配置され、その距離は前記印刷ピッチの基準値の整数倍に対応し、前記上流側および下流側光学センサによって前記プラスチックフィルムの印刷位置が検出され、前記印刷ピッチ測定光学センサは前記上流側光学センサからなり、前記上流側光学センサによって前記プラスチックフィルムの印刷ピッチが測定され、前記総和ピッチ測定光学センサは前記上流側および下流側光学センサからなり、前記上流側および下流側光学センサによって所定数の印刷柄の総和ピッチが測定されるようにした請求項１に記載の印刷ピッチ矯正装置。
【請求項９】
前記上流側光学センサよりも上流位置において、追加光学センサが前記プラスチックフィルムの送り経路に設けられ、前記上流側光学センサから所定距離を置いて配置され、その距離は前記プラスチックフィルムの印刷ピッチまたはその整数倍に対応し、前記追加光学センサによって前記プラスチックフィルムの印刷位置が検出され、前記印刷ピッチ測定光学センサは前記上流側光学センサと追加光学センサからなり、前記追加光学センサおよび上流側光学センサによって前記プラスチックフィルムの印刷ピッチが測定されるようにした請求項８に記載の印刷ピッチ矯正装置。
【請求項１０】
前記上流側光学センサよりも下流位置において、前記プラスチックフィルム延伸装置が前記プラスチックフィルムの送り経路に設けられ、前記プラスチックフィルム延伸装置よりも下流位置において、前記下流側光学センサが前記プラスチックフィルムの送り経路に設けられ、前記下流側光学センサよりも下流位置において、前記二次的延伸装置が前記プラスチックフィルムの送り経路に設けられている請求項８に記載の印刷ピッチ矯正装置。
【請求項１１】
前記プラスチックフィルム延伸装置および二次的延伸装置は単一の延伸装置からなり、前記上流側光学センサよりも下流位置において、前記単一の延伸装置が前記プラスチックフィルムの送り経路に設けられ、前記単一の延伸装置よりも下流位置において、前記下流側光学センサが前記プラスチックフィルムの送り経路に設けられている請求項８に記載の印刷ピッチ矯正装置。
【請求項１２】
前記上流側光学センサよりも下流位置において、前記送りローラが前記プラスチックフィルムの送り経路に設けられ、制御装置が前記上流側光学センサの検出信号を受け、その検出信号にもとづき、前記制御装置によって前記送りローラが駆動され、前記プラスチックフィルムがその印刷ピッチずつ間欠的に送られるようにした請求項８に記載の印刷ピッチ矯正装置。
【請求項１３】
請求項１に記載された印刷ピッチ矯正装置を使用し、印刷ピッチの矯正後、複数枚のフィルムを互いに重ね合わせ、その間欠送り毎に、ヒートシール装置およびクロスカッタによって各フィルムをヒートシールし、クロスカットし、プラスチック袋を製造するようにした製袋機。
【請求項１４】
一定の印刷ピッチをもって反復印刷された印刷柄を有し、長さ方向に送られるプラスチックフィルムの印刷ピッチ矯正装置であって、
前記プラスチックフィルムの送り経路に設けられ、前記プラスチックフィルムの印刷位置を検出する上流側光学センサと、
前記上流側光学センサよりも下流位置において、前記プラスチックフィルムの送り経路に設けられ、前記プラスチックフィルムを送る送りローラと、
前記上流側光学センサよりも下流位置において、前記プラスチックフィルムの送り経路に設けられ、前記プラスチックフィルムを延伸させるプラスチックフィルム延伸装置と、
前記送りローラおよびプラスチックフィルム延伸装置よりも下流位置において、前記プラスチックフィルムの送り経路に設けられ、前記上流側光学センサから所定距離を置いて配置され、その距離は印刷ピッチの基準値の整数倍に対応し、前記プラスチックフィルムの印刷位置を検出する下流側光学センサと、
前記下流側光学センサよりも下流位置において、前記プラスチックフィルムの送り経路に設けられ、前記プラスチックフィルムを延伸させる二次的延伸装置と、
前記上流側光学センサの検出信号を受け、その検出信号にもとづき、前記送りローラを駆動し、前記プラスチックフィルムをその印刷ピッチずつ間欠的に送り、間欠送り毎に、前記プラスチックフィルムを一時的に停止させるとともに、前記上流側光学センサの検出信号にもとづき、前記プラスチックフィルムの印刷ピッチを個別に測定し、その測定値が印刷ピッチの基準値よりも小さく、両者の差が第１設定値を超えたとき、前記プラスチックフィルム延伸装置を駆動し、前記プラスチックフィルムが一時的に停止しているとき、前記プラスチックフィルム延伸装置によって前記プラスチックフィルムを延伸させ、その印刷ピッチを個別に矯正し、さらに、前記下流側光学センサの検出信号を受け、前記上流側および下流側光学センサの検出信号にもとづき、所定数の印刷柄の総和ピッチを測定し、その測定値が総和ピッチの基準値よりも小さく、両者の差が第２設定値を超えたとき、前記二次的延伸装置を駆動し、前記プラスチックフィルムが一時的に停止しているとき、前記二次的延伸装置によって前記プラスチックフィルムを延伸させ、その総和ピッチを矯正する制御装置とからなるプラスチックフィルムの印刷ピッチ矯正装置。
【請求項１５】
一定の印刷ピッチをもって反復印刷された印刷柄を有し、長さ方向に送られるプラスチックフィルムの印刷ピッチ矯正装置であって、
前記プラスチックフィルムの送り経路に設けられ、前記プラスチックフィルムの印刷位置を検出する上流側光学センサと、
前記上流側光学センサよりも下流位置において、前記プラスチックフィルムの送り経路に設けられ、前記プラスチックフィルムを送る送りローラと、
前記上流側光学センサよりも下流位置において、前記プラスチックフィルムの送り経路に設けられ、前記プラスチックフィルムを延伸させるプラスチックフィルム延伸装置と、
前記送りローラおよびプラスチックフィルム延伸装置よりも下流位置において、前記プラスチックフィルムの送り経路に設けられ、前記上流側光学センサから所定距離を置いて配置され、その距離は印刷ピッチの基準値の整数倍に対応し、前記プラスチックフィルムの印刷位置を検出する下流側光学センサと、
前記上流側光学センサの検出信号を受け、その検出信号にもとづき、前記送りローラを駆動し、前記プラスチックフィルムをその印刷ピッチずつ間欠的に送り、間欠送り毎に、前記プラスチックフィルムを一時的に停止させるとともに、前記上流側光学センサの検出信号にもとづき、前記プラスチックフィルムの印刷ピッチを個別に測定し、その測定値が印刷ピッチの基準値よりも小さく、両者の差が第１設定値を超えたとき、前記プラスチックフィルム延伸装置を駆動し、前記プラスチックフィルムが一時的に停止しているとき、前記プラスチックフィルム延伸装置によって前記プラスチックフィルムを延伸させ、その印刷ピッチを個別に矯正し、さらに、前記下流側光学センサの検出信号を受け、前記上流側および下流側光学センサの検出信号にもとづき、所定数の印刷柄の総和ピッチを測定し、その測定値が総和ピッチの基準値よりも小さく、両者の差が第２設定値を超えたとき、前記プラスチックフィルム延伸装置を駆動し、前記プラスチックフィルムが一時的に停止しているとき、前記プラスチックフィルム延伸装置によって前記プラスチックフィルムを延伸させ、その総和ピッチを矯正する制御装置とからなるプラスチックフィルムの印刷ピッチ矯正装置。